(57)【特許請求の範囲】
【請求項１】
装置全体のフレームとなるキャビネットと、
外部からの貨幣の投入と装置内部からの貨幣の排出の両方、あるいはどちらか一方が行われる貨幣操作部と、顧客との取引時に使用される顧客操作部とを備えた操作パネルと、
上記キャビネットの下部に覆われ、外部に引き出し可能に配置され、貨幣処理を行う貨幣ユニットと、
上記キャビネットの下部で装置の前面に開閉可能に設けられる前扉とを備え、
上記前扉を開けることにより上記貨幣ユニットは装置外に引き出し可能であり、上記貨幣操作部は上記貨幣ユニットの上部に対向した位置に設けられ、上記前扉は上記操作パネルの上記顧客操作部を有する面より顧客操作側へ迫り出した自動取引装置において、
上記操作パネルを、上記顧客操作部を備えた第１の操作パネルと、上記貨幣操作部を備えた第２の操作パネルとに分離し、
上記第１の操作パネルは装置本体に対して開閉自在に設けると共に、
上記第２の操作パネルは、上記第１の操作パネルと上記前扉の間で前記迫り出しによる段差部に配置され、上記第１の操作パネルが開かれた際に、上記貨幣ユニットの上部を覆った状態となっているように設けたことを特徴とする自動取引装置。
【請求項２】
上記第１の操作パネルは上記キャビネットの上部に回動可能に設けられる請求項１記載の自動取引装置。
【請求項３】
上記第２の操作パネルは、上記貨幣ユニットに一体に設けられた請求項１または２記載の自動取引装置。
【請求項４】
上記貨幣ユニットは、紙幣処理を行う紙幣ユニットと硬貨処理を行う硬貨ユニットからなり、
上記第２の操作パネルは、上記紙幣ユニットに固定された紙幣操作パネルと、上記硬貨ユニットに固定された硬貨操作パネルからなる請求項３記載の自動取引装置。  
【発明の詳細な説明】
【０００１】
【発明の属する技術分野】
本発明は、金融機関等に設置される、筐体内部にメカ、制御部、電源等のユニットを有する自立型装置の自動取引装置に関する。
【０００２】
【従来の技術】
従来、金融機関等に設置される金融自動化機器である自動取引装置の構造について説明する。図６は従来例の自動取引装置を示す斜視図、図７は従来例の表面パネルを開いた状態の自動取引装置を示す斜視図である。
【０００３】
図６において、自動取引装置１は自動取引装置１全体のフレームとなるキャビネット２に覆われており、このキャビネット２は、図７に示す矢印Ａ−Ｂ方向に回動する表面パネル３と、矢印Ｃ−Ｄ方向に回動する前扉４とを備えている。図６に示すように表面パネル３には表示操作部５と、カード挿入口６と、レシート受取口７と、紙幣操作部８と、硬貨操作部９とが設けられている。
【０００４】
そして図７に示すように表面パネル３の内側には、キャビネット２に覆われて、上記カード挿入口６に接続して設けられているカード読取りユニット１０と、上記レシート受取口７に接続して設けられているレシート印字ユニット１１と、自動取引装置１全体を制御する制御部１２とが設けられている。そして前扉４の内側には、キャビネット２に覆われて、上記紙幣操作部８に接続して設けられている紙幣ユニット１３と、上記硬貨操作部９に接続して設けられている硬貨ユニット１４といった貨幣ユニットが設けられている。
【０００５】
次に保守時の動作について説明する。
【０００６】
レシート交換や制御部１２等、表面パネル３の内側の保守の場合には、図７に示すように表面パネル３を矢印Ａ方向に回動させて表面パネル３のみを開いて行う。
【０００７】
一方、現金の補充等、前扉４の内側の保守の場合には、表面パネル３を図７に示す矢印Ａ方向に回動させて表面パネル３を開いた後、前扉４を矢印Ｃ方向に回動させて前扉４を開けて、紙幣ユニット１３あるいは硬貨ユニット１４を引き出して行うようになっている。
【０００８】
【発明が解決しようとする課題】
上記従来の自動取引装置においては、以下に示す種々の問題点があった。まず第１にレシート交換等の、表面パネル３の内側の保守の場合には、表面パネル３のみを開いて行うが、このとき、図７示すように現金を取り扱う紙幣ユニット１３及び硬貨ユニット１４の一部が外から見えてしまうので、防犯上好ましくないといった問題点があった。また第２に現金の補充等の、前扉４の内側の保守の場合には、表面パネル３を開いてから、前扉４を開けなければ紙幣ユニット１３あるいは硬貨ユニット１４を引き出すことができないので、操作性が悪いといった問題点があった。
【０００９】
【課題を解決するための手段】
上記課題を解決するために本発明は、装置全体のフレームとなるキャビネットと、外部からの貨幣の投入と装置内部からの貨幣の排出の両方、あるいはどちらか一方が行われる貨幣操作部と、顧客との取引時に使用される顧客操作部とを備えた操作パネルと、上記キャビネットの下部に覆われ、外部に引き出し可能に配置され、貨幣処理を行う貨幣ユニットと、上記キャビネットの下部で装置の前面に開閉可能に設けられる前扉とを備え、上記前扉を開けることにより上記貨幣ユニットは装置外に引き出し可能であり、上記貨幣操作部は上記貨幣ユニットの上部に対向した位置に設けられ、上記前扉は上記操作パネルの上記顧客操作部を有する面より顧客操作側へ迫り出した自動取引装置において、上記操作パネルを、上記顧客操作部を備えた第１の操作パネルと、上記貨幣操作部を備えた第２の操作パネルとに分離し、上記第１の操作パネルは装置本体に対して開閉自在に設けると共に、上記第２の操作パネルは、上記第１の操作パネルと上記前扉の間で前記迫り出しによる段差部に配置され、上記第１の操作パネルが開かれた際に、上記貨幣ユニットの上部を覆った状態となっているように設けたものである。
【００１０】
更に、第２の操作パネルは、貨幣ユニットに一体に設けられ、上記貨幣ユニットは、第１の操作パネルを閉じた状態で引き出し可能である。
【００１１】
上記構成によれば、第１の操作パネルを開いても、貨幣ユニットは第２の操作パネルに覆われて隠された状態となっているので、防犯上安全である。また第１の操作パネルが閉じた状態でも前扉は開閉可能であるので、貨幣ユニットは引き出し可能となり、操作性が向上する。
【００１２】
【発明の実施の形態】
以下、本発明の実施の形態を図面にしたがって説明する。なお各図面に共通する要素には同一の符号を付す。
【００１３】
図１は実施の形態の自動取引装置を示す部分斜視図、図２は実施の形態の表面パネルを開いた状態の自動取引装置を示す斜視図、図３は実施の形態の前扉を開いた状態の自動取引装置を示す斜視図、図４は実施の形態の紙幣パネルを示す正面図、図５は実施の形態の硬貨パネルを示す正面図である。
【００１４】
まず自動取引装置１５の構造について説明する。図２、図３において、自動取引装置１５は、自動取引装置１５全体のフレームとなるキャビネット１６に覆われており、このキャビネット１６は、図２に示す矢印Ｅ−Ｆ方向に回動する第１の操作パネルである表面パネル１７と、矢印Ｇ−Ｈ方向に回動し、後述する紙幣ユニット及び硬貨ユニットの引き出し時に開かれる前扉１８とを備えている。そして図３に示すように表面パネル１７には顧客操作部である表示操作部１９と、カード挿入口２０と、レシート受取口２１とが設けられている。また、この表面パネル１７の下部は、紙幣ユニット及び硬貨ユニットの引き出し路まで延びていない。
【００１５】
そして図２に示すように表面パネル３の内側には、キャビネット１６に覆われて、上記カード挿入口２０に接続して設けられているカード読取りユニット２４と、上記レシート受取口２１に接続して設けられているレシート印字ユニット２５と、自動取引装置１５全体を制御する制御部２６とが設けられている。そして図３に示すように前扉１８の内側には、キャビネット１６に覆われて、自動取引装置１に対して引き出し自在な状態で、貨幣ユニットであり紙幣処理を行う紙幣ユニット２７と硬貨処理を行う硬貨ユニット２８とが設けられている。
【００１６】
そして図１、図３に示すように紙幣ユニット２７と硬貨ユニット２８にはそれぞれ第２の操作パネルである紙幣操作パネル２９と硬貨操作パネル３０とが設けられている。そしてこれにより、従来では表面パネル３側に設けられていた紙幣操作部８と硬貨操作部９とがそれぞれ、紙幣ユニット２７及び硬貨ユニット２８側に設けられている。
【００１７】
図４に示すように紙幣操作パネル２９の下部に設けられた右側パネル取り付け部２９ａと左側パネル取り付け部２９ｂが、紙幣ユニット２７の左右側面にそれぞれ固定された右側取り付け金具２７ａと左側取り付け金具２７ｂにネジ３３ａ、３３ｂにより固定されている。これにより、紙幣操作パネル２９が紙幣ユニット２７に一体に固定されている。
【００１８】
また、図５に示すように硬貨操作パネル３０の下部に設けられた右側パネル取り付け部３０ａと左側パネル取り付け部３０ｂと前側パネル取り付け部３０ｃとが、硬貨ユニット２８の左右側面及び前面にそれぞれ固定された取り付け金具２８ａにネジ３４ａ、３４ｂ、３４ｃ，３４ｄにより固定されている。これにより、硬貨操作パネル３０が硬貨ユニット２８に一体に固定されている。
【００１９】
そして紙幣操作パネル２９が紙幣ユニット２７に設けられていることにより、また硬貨操作パネル３０が硬貨ユニット２８に設けられていることにより、表示パネル１７を図２に示す状態としても、紙幣ユニット２７は紙幣操作パネル２９に覆われて隠された状態となり、また硬貨ユニット２８は硬貨操作パネル３０に覆われて隠された状態となる。
【００２０】
そして紙幣操作部３１には、顧客から紙幣が投入されると共に、顧客へと紙幣を排出する図１に示す紙幣投入排出口３１ａが形成されており、また硬貨操作部３２には、顧客から硬貨が投入されると共に、顧客へと硬貨を排出する硬貨投入排出口３２ａが形成されている。そして紙幣投入排出口３１ａは、紙幣を格納する金庫を内蔵した紙幣ユニット２７内部へと接続され、また硬貨投入排出口３２ａは、硬貨を格納する金庫を内蔵した硬貨ユニット２８内部へと接続されている。
【００２１】
次に保守時の動作について説明する。
【００２２】
レシート交換や制御部２６等、表面パネル１７の内側の保守の場合には、図２に示すように表面パネル１７を矢印Ｅ方向に回動させて表面パネル１７のみを開いて行う。このとき、紙幣操作パネル２９と硬貨操作パネル３０は紙幣ユニット２７及び硬貨ユニット２８を覆った状態であり、紙幣ユニット２７及び硬貨ユニット２８は紙幣操作パネル２９及び硬貨操作パネル３０によって覆われて隠された状態となっている。
【００２３】
一方、現金の補充等、前扉１８の内側の保守の場合には、前扉１８を図２に示す矢印Ｇ方向に回動させて前扉１８を図３に示す状態として、紙幣ユニット２７あるいは硬貨ユニット２８をそれぞれ矢印Ｊ方向に引き出して行う。また、保守が終わると、紙幣ユニット２７あるいは硬貨ユニット２８をそれぞれ矢印Ｋ方向に押し込む。このとき表面パネル１７は紙幣ユニット２７及び硬貨ユニット２８の引き出し路まで延びていないので、閉じた状態となっている。
【００２４】
以上本実施の形態においては、表面パネル１７を開いても、紙幣操作パネル２９と硬貨操作パネル３０は紙幣ユニット２７及び硬貨ユニット２８を覆った状態であり、紙幣ユニット２７及び硬貨ユニット２８は紙幣操作パネル２９及び硬貨操作パネル３０によって覆われて隠された状態となっているので、防犯上安全である。
【００２５】
また、表面パネル１７は閉じた状態で、前扉１８を開けるのみで、紙幣ユニット２７あるいは硬貨ユニット２８をそれぞれ矢印Ｊ方向に引き出すことができるので、操作性が良い。
【００２６】
【発明の効果】
以上詳細に説明したように本発明によれば、操作パネルを、顧客操作部を備えた第１の操作パネルと、貨幣操作部を備えた第２の操作パネルとに分離し、上記第１の操作パネルは装置本体に対して開閉自在に設けると共に、上記第２の操作パネルは、上記第１の操作パネルが開かれた際に、貨幣ユニットを覆った状態となっているように設けたことにより、第１の操作パネルを開いても、貨幣ユニットは第２の操作パネルに覆われて隠された状態となっているので、防犯上安全である。更に、第２の操作パネルは、貨幣ユニットに一体に設けられ、上記貨幣ユニットは、第１の操作パネルを閉じた状態で引き出し可能であるので、操作性が良い。
【図面の簡単な説明】
【図１】実施の形態の自動取引装置を示す部分斜視図である。
【図２】実施の形態の表面パネルを開いた状態の自動取引装置を示す斜視図である。
【図３】実施の形態の前扉を開いた状態の自動取引装置を示す斜視図である。
【図４】実施の形態の紙幣パネルを示す正面図である。
【図５】実施の形態の硬貨パネルを示す正面図である。
【図６】従来例の自動取引装置を示す斜視図である。
【図７】従来例の表面パネルを開いた状態の自動取引装置を示す斜視図である。
【符号の説明】
１５  自動取引装置
１７  表面パネル
１８  前扉
２７  紙幣ユニット
２８  硬貨ユニット
２９  紙幣操作パネル
３０  硬貨操作パネル
３１  紙幣操作部
３２  硬貨操作部
【図１】
0004716548.tif 000002
【図２】
0004716548.tif 000003
【図３】
0004716548.tif 000004
【図４】
0004716548.tif 000005
【図５】
0004716548.tif 000006
【図６】
0004716548.tif 000007
【図７】
0004716548.tif 000008